(57)【要約】【課題】既存の天井や壁面等にゆがみやひずみ等があっても、天井との距離を調整しながら容易に取り付けることができる天井パネル取付具を提供する。【解決手段】建物における既存の天井１０の下側に天井パネル５を取り付ける天井パネル取付具１であって、前記建物の壁面１１ａと天井面１０ａとに沿って取り付けられるベース固定部材２と、前記天井との距離を上下方向ｄ１に調整自在とし前記ベース固定部材に取り付けられるフレーム保持部材３と、前記フレーム保持部材に保持され且つ前記天井パネルの前記壁面１１ａ側の端部５ａを保持するベースフレーム４とを備えたことを特徴とする。【選択図】図１
2014020030.tif 000002
【特許請求の範囲】
【請求項１】
建物における既存の天井の下側に天井パネルを取り付ける天井パネル取付具であって、
前記建物の壁面と天井面とに沿って取り付けられるベース固定部材と、前記天井との距離を上下方向に調整自在とし前記ベース固定部材に取り付けられるフレーム保持部材と、前記フレーム保持部材に保持され且つ前記天井パネルの前記壁面側の端部を保持するベースフレームとを備えたことを特徴とする天井パネル取付具。
【請求項２】
請求項１において、
前記フレーム保持部材は、前記壁面と略平行に設けられ前記ベース固定部材に固定される固定部と、前記ベースフレームが載置される載置部とを備え、
前記固定部には、前記上下方向に長く形成された調整孔が形成され、
前記固定部は、固定具を前記調整孔に挿通し前記ベース固定部材に形成されたねじ孔にねじ込んで前記ベース固定部材に固定されることを特徴とする天井パネル取付具。
【請求項３】
請求項２において、
前記ベース固定部材は、前記載置部を前記上下方向に調整自在に支持する調整部材を有していることを特徴とする天井パネル取付具。
【発明の詳細な説明】
【技術分野】
【０００１】
本発明は、建物における既存の天井の下側に天井パネルを取り付ける天井パネル取付具に関する。
【背景技術】
【０００２】
従来より、既存の天井や壁面を残したまま、新たに天井パネルを取り付け、リフォームを行う施工方法が知られている。
しかしながら、住居等の建物における既存の天井や壁面には、凹凸があったり、僅かながらでもゆがみやひずみが発生していることが多く、それは経年劣化により、増大していく傾向がある。
このとき、天井パネルを後付けするための取付部材が金属材などからなる直線状の部材を、このような凹凸、ゆがみ、ひずみがある既存の天井等に取り付けるとがたつきが生じてしまう。
【０００３】
下記特許文献１には、縦材部と横材部でL字状に形成されたブラケット部材を壁に取り付け、横材部に見切縁支持手段を壁から接近または離隔する方向に摺動自在に設け、この見切縁支持手段によって、天井パネルの周辺部を支持する見切縁をその長さ方向に摺動自在に支持したものが開示されている。またこの見切縁支持手段は、見切縁を上下方向に揺動可能に支持するように構成されている。
【先行技術文献】
【特許文献】
【０００４】
【特許文献１】特開２００９−９７１５０号公報
【発明の概要】
【発明が解決しようとする課題】
【０００５】
しかしながら、上記特許文献１の開示されている見切縁支持手段は、大地震で天井パネルが大きく揺れた場合でも、その揺れを吸収するように設けられたものであって、既存の天井のゆがみやひずみ等を吸収できる構造にはなっていない。
【０００６】
本発明は、上記実情に鑑みてなされたものであり、既存の天井にゆがみやひずみ等があっても、天井との距離を調整しながら容易に取り付けることができる天井パネル取付具を提供する。
【課題を解決するための手段】
【０００７】
上記目的を達成するために、本発明に係る天井パネル取付具は、建物における既存の天井の下側に天井パネルを取り付ける天井パネル取付具であって、前記建物の壁面と天井面とに沿って取り付けられるベース固定部材と、前記天井との距離を上下方向に調整自在とし前記ベース固定部材に取り付けられるフレーム保持部材と、前記フレーム保持部材に保持され且つ前記天井パネルの前記壁面側の端部を保持するベースフレームとを備えたことを特徴とする。
本発明において、前記フレーム保持部材は、前記壁面と略平行に設けられ前記ベース固定部材に固定される固定部と、前記ベースフレームが載置される載置部とを備え、前記固定部には、前記上下方向に長く形成された調整孔が形成され、前記固定部は、固定具を前記調整孔に挿通し前記ベース固定部材に形成されたねじ孔にねじ込んで前記ベース固定部材に固定されるようにしてもよい。
また、本発明において、前記ベース固定部材は、前記載置部を前記上下方向に調整自在に支持する調整部材を有しているようにしてもよい。
【発明の効果】
【０００８】
本発明に係る天井パネル取付具によれば、既存の天井にゆがみやひずみ等があっても、天井との距離を調整しながら容易に取り付けることができる。
【図面の簡単な説明】
【０００９】
【図１】（ａ）、（ｂ）は本発明の一実施形態に係る天井パネル取付具を示す模式的断面図であり、（ａ）は同天井パネル取付具のフレーム保持部材の取り付け位置を調整しなかった状態を示す図、（ｂ）は同フレーム保持部材の取り付け位置を下方へ移動させ調整した状態を示す図である。
【図２】同天井パネル取付具のベース固定部材と、フレーム保持部材との構成を説明するための模式的分解断面図である。
【図３】同天井パネル取付具の構成部材（ベースフレームを除く。）を示す概略的斜視図である。
【図４】同天井パネル取付具と同天井パネル取付具によって取り付けられる天井パネルを示す概略的全体斜視図である。
【図５】同天井パネル取付具と、天井のたわみとの関係を説明するための模式的説明図である。
【発明を実施するための形態】
【００１０】
以下に本発明の実施の形態について、図面に基づいて説明する。
なお、一部の図では、他図に付している詳細な符号の一部を省略している。
また、以下の実施形態では、施工した状態を基準として、上下方向（例えば図１（ａ）・ｄ１参照）を原則的に説明する。さらに図２以外の図では調整部材２４、固定具２５，３２，３３のねじ溝の図示を省略している。
【００１１】
図１〜図５は、本実施形態に係る天井パネル取付具の一例について説明するための概念的な説明図である。
本実施形態に係る天井パネル取付具１は、建物における既存の天井１０の下側に複数枚の天井パネル５を取り付ける取付具である。天井パネル取付具１は、図１（ａ）等に示すように、ベース固定部材２と、フレーム保持部材３と、ベースフレーム４とを備えている。ベースフレーム４は、建物の壁面１１ａと天井面１０ａとに沿って取り付けられ、フレーム保持部材３は、天井１０との距離を上下方向に調整自在としベース固定部材２に取り付けられる。そしてベースフレーム４は、この天井１０からの距離を上下方向に調整自在なフレーム保持部材に保持され、且つ天井パネル５の壁面１１ａ側の端部５ａを保持する。
以下、詳しく説明する。
【００１２】
まずは、天井パネル取付具１を構成する各部材の構成等について説明する。
ベース固定部材２は、建物内空間を区画する壁１１と既存の天井１０との入隅部１２に沿わせるようにして配設され、図４に示すように適宜間隔を空けて複数箇所に取り付け固定される。なお、図４は、上から見下ろした状態を示している。
ベース固定部材２は、金属材等からなり、その一側面は断面視においては略Ｌ字形状（図１（ａ）参照）に、他側面（反対側）は断面視において略Ｌ字形状の一端をさらに曲げた形状（図３参照）に形成されている。ベース固定部材２は、壁面設置部２０と、天井設置部２１と、段差部２２と、調整部材取付部２３と、調整部材２４とを有している。
【００１３】
壁面設置部２０は、壁面１１ａに沿って天井近傍に設けられ、フレーム保持部材３を取り付けるためのねじ孔２０ａが形成されている。ねじ孔２０ａの形成位置は、フレーム保持部材３の上下方向（ｄ１）の調整幅を確保するため、可能な限り壁面設置部２０の下方位置に形成されることが望ましい。天井設置部２１は、天井面１０ａに沿って壁近傍に設けられ、壁面１１ａと略平行に設けられる壁面設置部２０の一端部から略水平方向に折曲げ形成されている。天井設置部２１には、天井１０に固定するための固定具２５が挿通される挿通孔２１ａが形成されている。固定具２５がねじの場合は、ベース固定部材２を壁面１１と天井１０との入隅部１２に配置し、挿通孔２１ａに固定具２５を挿通させて固定具２５を天井１０にねじ込んでいけば、ベース固定部材２を天井１０にねじ止めすることができる。
なお、固定具２５は天井１０、そして不図示の天井野縁に至るようにねじ込まれれば、強固にベース固定部材２を天井１０に固定することができる。またここでは天井１０にベース固定部材２を固定する例について説明したが、これに限定されず壁面設置部２０にねじ孔２０ａとは別に挿通孔を形成し、壁１１にベース固定部材２を固定するようにしてもよい。また固定具２５はねじに限らず、釘であってもよい。
【００１４】
天井設置部２１の反壁面側の端部には、天井設置部２１よりも下方に段差状に折曲形成された段部２２が設けられている。この段部２２は、天井設置部２１よりも下方に段差状に形成されている。よって、後記する調整部材２４の作用により、載置部３１が上昇しても、天井１０にねじ込んだ後の固定具２５のねじ頭２５ａ（図１（ａ）参照）にベースフレーム４の被保持部４１が当たらないように納めることができる。
すなわち、ベースフレーム４の被保持部４１の上面部４１ａが、ベース固定部材２に接近した状態とされても（図１（ａ）参照）、上面部４１ａは段差部２２に押し当てられる。これにより、固定具２５のねじ頭２５ａが被保持部４１に当接することを防ぐことができ、ベースフレーム４は、フレーム保持部材３の載置部３１の上面３１ｃに略水平状態に保持される。
【００１５】
ベース固定部材２の一側面は、上述のように略Ｌ字形状（図１（ａ）参照）に、他側面（反対側）は断面視において略Ｌ字形状の一端をさらに曲げた形状（図３参照）に形成されている。この略Ｌ字形状の一端をさらに水平方向に屈曲して形成された部位が調整部材２４が挿通される調整部材取付部２３となっている。調整部材取付部２３には、ねじ孔２３ａ（図２参照）が形成されており、下方から挿通される調整部材２４の軸部２４ａに形成されたねじ溝とねじ孔２３ａがかみ合って調整部材２４を上下方向（ｄ１）に調整自在とすることができる。なお、調整部材２４の軸部２４ａにはねじ溝が形成されているが、図１、図３ではその図示を省略している。また調整部材２４が上下方向（ｄ１）に動かせる空間を確保するために、壁面設置部２０には、矩形状に開口した開口部２６が形成されている。
【００１６】
調整部材２４は、図３に示すように軸部２４ａにおける端面２４ｂが上、ねじ頭部２４ｃが下になるように設けられる。すわなち、調整部材２４は、フレーム保持部材３の載置部３１の下面３１ｄに端面２４ｂを押し当てる状態に取り付けられ、載置部３１を下方から支持する。
フレーム保持部材３の固定部３０には、後記する縦長の調整孔３０ａが形成されており、固定具３３がこの調整孔３０ａを介してベース固定部材２にねじ固定されている。このため、フレーム保持部材３は上下方向（ｄ１）にスライドし、天井１０との距離を調整自在とすることができる。
【００１７】
図では、図１（ａ）における天井面１０ａと載置部３１の上面３１ｃとの間の距離をＸとし、図例において、この状態が天井面１０ａと載置部３１とが最も接近した状態となる。
具体的には、調整部材２４を締め付ける方向へ回転させると、端面２４ｂが上昇するため、これに支持される載置部３１が上昇し天井面１０ａへ近づいていくことになる。このとき、壁面設置部２０のねじ孔２０ａにねじ込まれ固定具３３は固定されているが、調整孔３０ａが縦長に形成されているので、フレーム保持部材３の上方への移動を阻止することがない。よって、例えばフレーム保持部材３と天井１０との距離が最も近い状態の際には、固定具３３は、調整孔３０ａの最も下方に位置することになる（図１（ａ）参照）。
一方、調整部材２４を緩める方向へ回転させると、端面２４ｂが下降するため、これに支持される載置部３１も下降し天井面１０ａから遠ざかっていくことになる。これに伴い調整孔３０ａに挿通された固定具３３の位置は、調整孔３０ａの上方に位置することになる（図１（ｂ）参照）。
このように調整部材２４の上下動は、ねじのかみ合わせによるので、調整部材２４の回転度合いを微調整すれば、天井１０との距離も微調整することができる。なお、この調整部材２４による上下方向の位置調整に関しては、再度後述する。
【００１８】
フレーム保持部材３は、ベースフレーム４を保持する部材であり、壁面１１と天井１０とに沿って適宜間隔を空けて複数箇所に取り付けられたベース固定部材２に固定される。フレーム保持部材３は、金属材等からなり、側面視において略Ｌ字形状に形成されている。フレーム保持部材３は、固定部３０と載置部３１とを有している。固定部３０は、壁面１１ａと略平行に設けられ、ベース固定部材２の壁面設置部２０に固定される。固定部３０には、上下方向（ｄ１）に縦長の調整孔３０ａが形成されている。固定部３０は、ベース固定部材２の壁面設置部２０の前方に重ね合わせて取り付けられ、固定具３３を調整孔３０ａに挿通しベース固定部材２に形成されたねじ孔２０ａにねじ込んでベース固定部材２に固定される。
【００１９】
載置部３１は、取り付け状態において略水平に設けられ、この載置部３１の上面３１ｃにベースフレーム４が載置される。載置部３１には、貫通した大小２つの孔が形成されており、小さい孔はベースフレーム４を固定する固定具３２を挿通させる挿通孔３１ａであり、大きい孔は天井１０にベース固定部材２を固定するための固定具２５が取り付け時に通過する貫通孔３１ｂである。
固定具３２は、上記の挿通孔３１ａを通じてベースフレーム４の下面部４１ｃにねじ込まれ、この固定具３２によって、ベースフレーム４はフレーム保持部材３に保持される。
貫通孔３１ｂは、ベース固定部材２を天井１０に固定するための固定具２５が余裕をもって通過できる程度の大きさ、すなわち、貫通孔３１ｂの径は、固定具２５のねじ頭２５ａの径より大きく形成されている。
【００２０】
載置部３１には、ベース固定部材２に設けられた調整部材２４の端面２４ｂが当接される当接部３４が形成されている。この当接部３４は壁面設置部２０に形成された開口部２６の空間内を上下動するように開口部２６側へ若干突出して形成されている（図２、図３参照）。こうして、載置部３１の当接部３４に調整部材２４の端面２４ｂが当たって下方から載置部３１を支持することができる。そしてこれにより、上述したように、調整部材２４の軸部２４ａのねじ孔２３ａへのねじ込み位置を微調整することで、調整部材２４で支持されている載置部３１の設置位置を上下方向（ｄ１）に調整自在とすることができる。
【００２１】
ベースフレーム４は、建物内空間を区画する壁１１と、既存の天井１０との入隅部１２の略全周に配設され、適宜間隔を空けて複数箇所に設けたベース固定部材２に固定されたフレーム保持部材３によって保持される（図４参照）。
ベースフレーム４は、金属材等からなり、上述の入隅部１２に沿って設けられるよう直線形状且つ長尺に形成され、図４のような一隅部に凹み部位に配設されるものはその設置箇所に応じてその寸法が設定される。
隣接して配設されるベースフレーム４とベースフレーム４とが突き合わされる角部４ａには、平面視においてＬ字状の接続金具（不図示）を取り付けるようにしてもよい。
建物内空間を区画する壁１１によって形成される平面視における形状は、図４のような一隅部に凹み部位が形成されたものに限られず、上記の一隅部以外にも凹み部位が形成されたものや、さらには、突出部位が形成されたような形状としてもよい。また、このような凹み部位や突出部位が形成された形状に限られず、略矩形状とされたものとしてもよい。
【００２２】
ベースフレーム４は、天井パネル５の壁面１１ａ側の端部５ａを保持するパネル保持部４０と、フレーム保持部材３に保持される被保持部４１とを備えている。
パネル保持部４０は、取付状態において略水平に設けられた上片部４０ａ、天井パネル５の端部５ａが当接する直立片部４０ｂと、上片部４０ａと略平行に設けられ天井パネル５の下方を支持する下片部４０ｃとを有している。下片部４０ｃは、上片部４０ａより短く形成されており、天井パネル５の端部５ａを差し込れやすいように構成されている。対向にして形成される上片部４０ａと下片部４０ｃとの間隔は、差し込まれる天井パネル５の厚み寸法に応じて設定される。
被保持部４１は、断面視において略矩形状とされ、内部は固定具３２が挿通するように中空に形成されており、上面部４１ａと、直立面部４１ｂと、下面部４１ｃとを有している。下面部４１ｃの任意の位置に、上述のとおり、固定具３２がねじ込まれるので、載置部３１に被保持部４１を強固にねじ止めすることができる。
この際のねじ止めは、穴あけとねじ止めが同時に可能なドリルねじを用いれば、容易に行うことができる。またこのように、下面部４１ｃの任意の位置に固定具３２をねじ込んで固定するので、ベースフレーム４の保持位置を壁面１１ａに対して直交方向に調整することができる。よって、天井１０だけでなく、壁面１１ａに凹凸、ひずみ、ゆがみ等があっても、ベースフレーム４の保持位置と壁１１との距離を調整することで、地直線状のベースフレーム４をがたつかせることなく、取り付けることができる。
【００２３】
天井パネル取付具１によって取り付けられる天井パネル５の構成は特に限定されないが、図４に示すように平面視において略矩形状（図４では長方形状）の平板体とされ、基材と表層材とを備え、隣接する天井パネルとあいじゃくりにより実結合される形状としてもよい。また天井パネル５としては、合板やＬＶＬ等の木質積層板、パーティクルボード等の木質ボード、若しくはインシュレーションボードやＭＤＦ（中密度繊維板）等の木質繊維板などの木質系材料から形成されたものとしてもよい。また、断熱機能や、吸音機能、防音機能、さらに調湿機能等を有した各種の機能性材料から製されたものや、各種の機能性材料を内蔵した断熱パネル、吸音パネル、防音パネル、調湿パネルなどの機能性を備えた天井パネル５としてもよい。
なお、図４では、１枚の天井パネル５が図示されているが、複数枚の天井パネル５がベースフレーム４内に取り付けられる。
【００２４】
次に天井パネル取付具１の取り付け手順を説明する。
まず、取り付け作業を行う前にベース固定部材２にフレーム保持部材３が取り付けられた状態にしておく。すなわち、ベース固定部材２の壁面設置部２０とフレーム保持部材３の固定部３０とを重ね合わせ、固定部３０の挿通孔３０ａに挿通させた固定具３３を壁面設置部２０のねじ孔２０ａにねじ込んで、図３に示す状態にしておく。このとき、フレーム保持部材３の固定状態は、載置部３１の上にベースフレーム４の被保持部４１が載置できるスペースを確保し、且つフレーム保持部材３の上下動の調整を許容できる程度に固定状態にしておく。また固定具３３の位置は、後に調整部材２４で載置部３１の上下方向（ｄ１）の取り付け位置の調整がしやすい位置（調整孔３０ａの中間位置等）にしておくことが望ましい。
このようにベース固定部材２及びフレーム保持部材３の２部材がセットにされていれば、取り付け工数が低減を図ることができ、構成部材の紛失も防いで施工をスムーズに行うことができる。
なお、ベース固定部材２を固定した後にフレーム保持部材３をベース固定部材２に取り付けてもよい。
【００２５】
このようにベース固定部材２及びフレーム保持部材３をセットにした状態で、ベース固定部材２の取付位置の位置あわせを行う。この際、図１（ａ）に示すようにベース固定部材２の壁面設置部２０を壁面１１ａに隙間なく沿わせ、天井設置部２１を天井面１０ａに隙間なく沿わせた状態にする。そして、この状態で、天井設置部２１に形成された挿通孔２１ａに向けて固定具２５をねじ込んでいき、ベース固定部材２を既存の天井１０にねじ固定する。このとき、載置部３１には、上記のとおり、固定具２５を通じさせることができる貫通孔３１ｂが形成されているので、ベース固定部材２にフレーム保持部材３を取り付けた状態で天井１０に向けての固定具２５のねじ込み作業を問題なく行うことができる。
同じ要領で、入隅部１２の所定の箇所にベース固定部材２及びフレーム保持部材３を取り付けていく。
【００２６】
次に、ベースフレーム４の被保持部４１を載置部３１の上面３１ｃに載置するようにして、複数のフレーム保持部材３，３間に架け渡すようにベースフレーム４の差込み、仮取り付けを行う。そして調整部材２４を締め付ける方向に回転させて、載置部３１を上昇させ、ベースフレーム４の被保持部４１を段差部２２と載置部３１との間に挟み込むようにして仮固定する（図１（ａ）に示す状態）。なお、このとき、まだ固定具３２によるベースフレーム４のねじ止めは行わない。壁１１との距離調整を後に行うことができるからである。
【００２７】
上述の同じ要領で、入隅部１２の略全周にベースフレーム４を仮固定し、その後、天井１０との距離の微調整を行う。具体的に図１、図４、図５を参照しながら説明する。
例えば図４に示すベースフレーム４Ａは、４つのベース固定部材２及びフレーム保持部材３によって保持されている。このとき、図５に示すように天井１０に下方へのたわみ（ゆがみ）が生じていた場合、天井１０と載置部３１の上面３１ｃまでの距離（Ｘ）を調整する必要がある。すなわち、図４のベース固定部材２（２Ｂ）に固定された載置部３１の固定位置と、その隣に配設されたベース固定部材２（２Ａ）に固定された載置部３１の固定位置とが同じでは、直線状のベースフレーム４が精度よく保持できない。そこで、たわみがある箇所に配設された載置部３１の位置は、図１（ａ）に示すように天井１０との距離が最も近い位置に調整する。具体的には、被保持部４１の上面部４１ａが段差部２２に当接する位置まで調整部材２４を上昇させる。
【００２８】
一方、たわみの少ない箇所に配設されたフレーム保持部材３の載置部３１の位置は、図１（ｂ）に示すように天井１０との距離を「α」分、離すように調整部材２４を微調整する。
このように天井１０と載置部３１の上面３１ｃまでの距離の調整を調整部材２４を用いて調整した後、固定具３３をさらにねじ込み、フレーム保持部材３が上下動しないようにしっかり固定する。
そして、この後、いまだ仮取り付け状態のベースフレーム４の被保持部４１と壁面１１ａとの距離の調整を行い、ドリルねじを用い、固定具３２でベースフレーム４の被保持部４１を載置部３１に完全に固定する。
【００２９】
以上のように本実施形態の天井パネル取付具３は、主に３つの部材で構成し、調整部材２４によって載置部３１を上下動させて天井１０との距離を調整した後に、天井パネル５を保持するベースフレーム４を固定するようにしている。このように天井１０に固定される部材と、天井パネル５を保持する部材とを別の部材にすることにより、既存の天井１０や壁１１に凹凸、ひずみやゆがみ等があっても、直線状のベースフレーム４をがたつかせることなく、しかも容易に取り付けることができる。
【００３０】
なお、上記した実施形態に係る天井パネル取付具１、ベース固定部材２、フレーム保持部材３、ベースフレーム４、調整部材２４、各種固定具２５，３２，３３、天井パネル５等の構成、形状、設置個数等は図例に限定されるものではない。
【符号の説明】
【００３１】
１            天井パネル取付具
２            ベース固定部材
２４          調整部材
３            フレーム保持部材
３０          固定部
３０ａ        調整孔
３１          載置部
３３          固定具
４            ベースフレーム
５            天井パネル
５ａ          （壁側の）端部
ｄ１          上下方向
【図１】
2014020030.tif 000003
【図２】
2014020030.tif 000004
【図３】
2014020030.tif 000005
【図４】
2014020030.tif 000006
【図５】
2014020030.tif 000007